(57)【要約】【課題】施療に先立つ被施療者の着座状態及び施療対象箇所の位置関係の把握を、精度を落とさず必要最小限の時間で実行し、被施療者のリラックス状態を損なわず適切な施療を可能とするマッサージ機を提供する。【解決手段】被施療者の座面近傍の体後面部分に対し位置検出部の検出子を前方に移動させて着座位置検出を行い、検出子が被施療者を押圧したら、制御部で適切な着座状態と判定して肩位置検出に移行し、得られた肩位置に基づいて被施療者の体後面における各施療対象箇所の上下位置を求めて、施療の基準として用いることから、被施療者が正しく着座した状態で、座面近傍の体後面部分と背もたれ部との間に隙間が生じていても、検出子で被施療者の体後面部分を押圧可能な範囲内であれば、被施療者が適切な着座状態にあるとして、後の肩位置検出等の処理を滞りなく実行でき、確実に施療対象箇所の位置情報を得て施療を正しく行える。【選択図】  図７
2014155547.tif 000002
【特許請求の範囲】
【請求項１】
被施療者が着座する座部と、被施療者の背中を支持する背もたれ部と、当該背もたれ部に内蔵されて被施療者への施療を実行する施療機構とを少なくとも備える椅子式のマッサージ機において、
前記背もたれ部内を前後及び上下に移動可能として、背もたれ部内側に配設される検出子を少なくとも有し、施療実行に先立って被施療者の体における所定箇所の位置検出を行う位置検出部と、
少なくとも当該位置検出部による位置検出を制御する制御部とを備え、
前記位置検出部が、着座位置検出として、背もたれ部における、座部の座面より所定距離上方の、着座状態にある被施療者の臀部に対向する領域内の所定位置に、検出子を位置させつつ、当該検出子を前方へ移動させ、
前記制御部が、検出子の前方への移動可能範囲内で検出子が被施療者を押圧する状態となって、さらなる前方への移動を妨げられ停止した場合には、被施療者が適切な着座状態にあると判定する一方、検出子の前方への移動可能範囲限界位置まで検出子が被施療者を押圧することなく移動した場合には、被施療者が適切に着座していないエラー状態であると判定し、
制御部が、被施療者が適切な着座状態にあると判定したら、位置検出部の検出子を後方へ移動させ被施療者から一旦離した後、背もたれ部内で上方へ所定距離移動させ、位置検出部にさらに被施療者の肩位置検出を実行させ、得られた肩位置の情報、及び、あらかじめ設定された一般的な人の各施療対象箇所と肩との相対位置関係の情報に基づいて、被施療者の各施療対象箇所の上下位置を新たに算出し定義することを
特徴とするマッサージ機。
【請求項２】
前記請求項１に記載のマッサージ機において、
前記座部が、傾動して水平面に対する傾斜角度を調整可能とされ、
前記制御部が、座部の傾動についても制御するものとされ、マッサージ機起動後、座部の水平面に対する傾斜角度を取得し、当該傾斜角度が、座部上に安定的に被施療者を保持可能な最小限の傾斜角度としてあらかじめ設定された所定の最小角度より小さい場合には、座部を傾動させて、傾斜角度を前記最小角度以上の所定角度としてから、前記位置検出部を着座位置検出状態に移行させることを
特徴とするマッサージ機。
【請求項３】
前記請求項１又は２に記載のマッサージ機において、
前記位置検出部が、前記肩位置検出として、背もたれ部の上下方向中間位置又はより上側の所定箇所に検出子を位置させてから、検出子を前方に移動させて被施療者の体後面部分に接近させ、前方へ移動を続けようとする検出子で体後面部分を押しつつ、検出子を上方へ移動させ、
前記制御部が、上に移動する検出子が体後面部分の上縁から外れて体の拘束を受けずに前方へ移動可能となった状態で、検出子の前方への移動に伴う所定の速度変化及び／又は所定の位置変化を検知した場合に、当該時点の検出子位置を肩位置と認定することを
特徴とするマッサージ機。
【請求項４】
前記請求項１ないし３のいずれかに記載のマッサージ機において、
被施療者の各施療対象箇所ごとにあらかじめ設定された、施療機構の変位に係る前後方向のオフセット量のうち、一部の施療対象箇所のオフセット量について、前記制御部が、前記着座位置検出時の検出子が着座状態の被施療者を押圧して停止するまでの移動量の大小に基づき、前後方向に位置調整して、被施療者の着座姿勢に応じたオフセット量を新たに設定することを
特徴とするマッサージ機。
【請求項５】
前記請求項１ないし４のいずれかに記載のマッサージ機において、
前記肩位置検出で肩位置が定まると、前記位置検出部が、肩位置が定まった時点の検出子の位置を所定時間そのまま維持し、
肩位置が定まったら、少なくとも肩位置検出の終了を被施療者に報知する報知手段と、
被施療者による、肩位置の再設定指示、並びに、再設定指示後の検出子の上下各方向移動指示及び肩位置決定の各入力操作を少なくとも受け付ける入力手段とを備え、
前記制御部は、前記入力手段で肩位置の再設定指示の操作を受けた場合、位置検出部の検出子を後方に移動させて被施療者から離隔させた後、背もたれ部の上限位置まで移動させ、続いて、検出子を前方に所定距離移動させて、被施療者の体後面より前方に突出させた状態とし、さらに、
制御部は、被施療者の入力手段に対する検出子の移動指示の操作に基づいて、検出子を上下方向に移動させ、移動により変位した検出子の位置について、被施療者が肩位置として決定する操作が新たに入力手段に対しなされたら、操作時点の検出子の位置を、新たな肩位置に設定することを
特徴とするマッサージ機。
【発明の詳細な説明】
【技術分野】
【０００１】
本発明は、座部に着座し背もたれ部にもたれた被施療者に対し施療を行う椅子式のマッサージ機に関する。
【０００２】
なお、本発明の背もたれ部における「上下」及び「前後」の方向については、以下のように取り扱う。まず、背もたれ部の厚みのある方向を「前後」方向とし、被施療者に面してこれを支える側を「前」側と定義する。そして、背もたれ部の前面に沿って、背もたれ部における被施療者の頭部支持部分から腰部支持部分に向かう方向を「上下」方向とし、頭部の側が「上」側と定義する。
【背景技術】
【０００３】
被施療者の身体を支持しつつマッサージ動作を実行する椅子式のマッサージ機は、施療機構としての揉み玉（施療子）やエアセルを用いて、被施療者の肩や背中、腰等、体後面部分を中心に施療を実行するものとされている。こうしたマッサージ機において、被施療者ごとに対応した施療が行えるよう、施療の前あるいは中間に、自動的に被施療者の体型を検出し、検出した体型に応じて施療機構の作動状態を調整して、マッサージ機を使用する各被施療者にそれぞれ適合した施療を行えるようにするものが提案されている。
このように被施療者の体型を検出してそれに基づく施療を実行できる従来のマッサージ機の一例として、特開２００２−３６９８５１号公報に開示されるものがある。
【０００４】
この他に、被施療者の着座姿勢を施療前に検出し、被施療者が適切に着座している場合のみ、着座姿勢に対応した施療を行うようにしたマッサージ機も提案されている。こうした被施療者の着座姿勢の良否を検出できる従来のマッサージ機の一例として、特開２００９−８９８７２号公報に開示されるものがある。
【先行技術文献】
【特許文献】
【０００５】
【特許文献１】特開２００２−３６９８５１号公報
【特許文献１】特開２００９−８９８７２号公報
【発明の概要】
【発明が解決しようとする課題】
【０００６】
従来のマッサージ機は、前記各特許文献に示される構成とされており、施療に先立って、体型や着座姿勢の検出を行って、被施療者の体の存在する範囲に的確に施療を実行でき、特に前記特許文献１に記載のものは、マッサージと同時に体型検出を行うことで、被施療者の待ち時間をなくしリラックス状態付与の点で優れたものであるが、施療当初から正確を期すためにマッサージに先立つ体型検出に適用した場合、揉み玉を最下部から上方へ移動させると共に、被施療者の腰位置から肩位置までの複数箇所で、揉み玉を進退させて体表面の位置情報を取得する検出動作をそれぞれ行っていく体型検出の一連の過程に時間がかかるため、被施療者を待たせることとなり、被施療者のリラックス状態に悪影響を与えることもあるという課題を有していた。
【０００７】
ところで、背もたれ部が座部に対し傾斜角度調整可能とされる椅子構造を有する、一般的なマッサージ機の場合、被施療者を適切に支持しつつ背もたれ部と座部とが相互に相対傾動する構造を実現する一方で、背もたれ面と座面とを一つの連続面とする構造の採用は難しいため、背もたれ面と座面はそれぞれ別個の面となるのが通例である。
【０００８】
そして、背もたれ面と座面との境界部分はこれら面同士が交差して内隅形状をなすことから、マッサージ機に対し被施療者が臀部及び太腿部を座面に付けた通常の状態で着座する場合、被施療者の臀部が緩やかな曲面をなすこともあって、被施療者の臀部を背もたれ面の座面近傍端部及び座面の背もたれ面近傍端部にそれぞれ当接させて内隅部分を臀部で隙間なく埋めることは困難であり、背もたれ面下端部と被施療者との間に隙間が生じることは通常避けられない。
【０００９】
こうした点を考慮すると、前記特許文献２に記載の、適切な着座姿勢か否かを、背もたれ部下部と被施療者との当接の有無のみで判断している技術内容を、上記の一般的なマッサージ機に採用した場合、被施療者が座面に浅く着座した際のみならず、適切な着座状態となるように深く着座した際も、依然背もたれ面下端部に被施療者は当接していないために、適切な着座姿勢でないと誤って判定されることが起り得るなど、着座姿勢の検出を適切に実行しにくいという課題を有していた。
【００１０】
この他、前記特許文献２に記載の着座姿勢判別の場合も、下限位置での被施療者の背もたれ部当接検出後、センサが、被施療者が背もたれ部に当接しているか否かを継続的に検出しながら少なくとも肩位置まで上昇移動する必要があり、やはり着座姿勢判別の一連の過程に時間がかかって、その間待たせることとなる被施療者のリラックス状態に悪影響を与えかねないという課題を有していた。
【００１１】
本発明は前記課題を解消するためになされたもので、施療に先立つ被施療者の着座状態及び施療対象箇所の位置関係の把握を、精度を落とすことなく必要最小限の作動時間で実行し、被施療者のリラックス状態を損なわず適切な施療を可能とするマッサージ機を提供することを目的とする。
【課題を解決するための手段】
【００１２】
本発明の開示するマッサージ機は、被施療者が着座する座部と、被施療者の背中を支持する背もたれ部と、当該背もたれ部に内蔵されて被施療者への施療を実行する施療機構とを少なくとも備える椅子式のマッサージ機において、前記背もたれ部内を前後及び上下に移動可能として、背もたれ部内側に配設される検出子を少なくとも有し、施療実行に先立って被施療者の体における所定箇所の位置検出を行う位置検出部と、少なくとも当該位置検出部による位置検出を制御する制御部とを備え、前記位置検出部が、着座位置検出として、背もたれ部における、座部の座面より所定距離上方の、着座状態にある被施療者の臀部に対向する領域内の所定位置に、検出子を位置させつつ、当該検出子を前方へ移動させ、前記制御部が、検出子の前方への移動可能範囲内で検出子が被施療者を押圧する状態となって、さらなる前方への移動を妨げられ停止した場合には、被施療者が適切な着座状態にあると判定する一方、検出子の前方への移動可能範囲限界位置まで検出子が被施療者を押圧することなく移動した場合には、被施療者が適切に着座していないエラー状態であると判定し、制御部が、被施療者が適切な着座状態にあると判定したら、位置検出部の検出子を後方へ移動させ被施療者から一旦離した後、背もたれ部内で上方へ所定距離移動させ、位置検出部にさらに被施療者の肩位置検出を実行させ、得られた肩位置の情報、及び、あらかじめ設定された一般的な人の各施療対象箇所と肩との相対位置関係の情報に基づいて、被施療者の各施療対象箇所の上下位置を新たに算出し定義するものである。
【００１３】
このように本発明の開示によれば、着座した被施療者の体の位置検出を行える位置検出部を備え、被施療者の座面近傍の体後面部分に対し位置検出部の検出子を前方に移動させて着座位置検出を行い、移動させた検出子が被施療者を押圧したら、制御部で適切な着座状態と判定して肩位置検出に移行し、得られた肩位置に基づいて被施療者の体後面における各施療対象箇所の上下位置を求めて、施療の基準として用いることにより、背もたれ部が座部に対し傾動可能な一般的な椅子構造の場合に、被施療者が背もたれ部にもたれつつ正しく着座した状態で、被施療者の座面近傍における体後面部分と背もたれ部との間に隙間が生じていても、前後移動する検出子で被施療者の体後面部分を押圧可能な適切な範囲内であれば、被施療者が適切な着座状態にあるとして、その後の肩位置検出等の処理を滞りなく実行でき、問題なく確実に着座姿勢を把握できる。また、検出子を用いた肩位置の検出が着座位置検出位置から間隔を空けた上方でなされて、体後面部分に沿って連続する検出子の上方移動を伴わない分、被施療者への検出子の接近、押圧による体型検出作業時間を省略できることとなり、施療に必要な被施療者の各施療対象箇所の位置定義をより短時間で完了して施療までの待ち時間を少なくでき、施療による被施療者のリラックス状態への移行を妨げないようにすると共に、検出した肩位置に基づいて被施療者の着座姿勢に対応した体後面部分の各施療対象箇所を適切に設定でき、各被施療者に対し施療を正しく実行できる。
【００１４】
また、本発明の開示するマッサージ機は必要に応じて、前記座部が、傾動して水平面に対する傾斜角度を調整可能とされ、前記制御部が、座部の傾動についても制御するものとされ、マッサージ機起動後、座部の水平面に対する傾斜角度を取得し、当該傾斜角度が、座部上に安定的に被施療者を保持可能な最小限の傾斜角度としてあらかじめ設定された所定の最小角度より小さい場合には、座部を傾動させて、傾斜角度を前記最小角度以上の所定角度としてから、前記位置検出部を着座位置検出状態に移行させるものである。
【００１５】
このように本発明の開示によれば、座部が傾動可能とされると共に、着座位置検出を行うより前に、制御部が座部の傾斜角度を取得して、座部の傾斜角度が最小角度未満であれば、まず座部を傾動させて最小角度以上とし、常に座部の傾斜角度が最小角度以上の状態で着座位置検出を実行することにより、最小角度未満の座部傾斜角度で被施療者の姿勢のずれが生じやすく着座姿勢の定りにくい状態から、そのまま着座位置検出が行われないようにして、被施療者が背もたれ部に密着する度合いの大きい、よりずれにくい安定した姿勢で確実に着座位置検出が行え、検出の機会ごとに着座姿勢の変化やそれに伴う検出条件の変化を招くことなく、適切に着座位置検出を行って着座の適否を正確に判断でき、合わせて肩位置検出もずれなく正確に実行でき、被施療者の各施療対象箇所の上下位置をより的確に定義して、被施療者に適した施療を効率よく実行できる。
【００１６】
また、本発明の開示するマッサージ機は必要に応じて、前記位置検出部が、前記肩位置検出として、背もたれ部の上下方向中間位置又はより上側の所定箇所に検出子を位置させてから、検出子を前方に移動させて被施療者の体後面部分に接近させ、前方へ移動を続けようとする検出子で体後面部分を押しつつ、検出子を上方へ移動させ、前記制御部が、上に移動する検出子が体後面部分の上縁から外れて体の拘束を受けずに前方へ移動可能となった状態で、検出子の前方への移動に伴う所定の速度変化及び／又は所定の位置変化を検知した場合に、当該時点の検出子位置を肩位置と認定するものである。
【００１７】
このように本発明の開示によれば、検出子を被施療者の体後面部分に押し当てながら上昇させる中、検出子が肩上に達すると、検出子の前方移動に係る障害がなくなり、押される検出子が前方へ抵抗なく移動するようになる点を肩位置検出に利用して、背もたれ部の上下方向中間位置又はより上側の所定箇所を開始位置として、検出子に前方へ移動する駆動力を与えつつ上方へ移動させ、肩上側に達した検出子の前方移動に係る変化に基づいて肩位置を認定する一連の肩位置検出を実行することにより、被施療者が背もたれ部に体をもたれさせた正しい着座状態で、被施療者が背もたれ部の範囲内に肩を位置させている一般的な体格の場合には、正確に肩位置を検出でき、正しい肩位置に基づいて被施療者の体後面部分の各施療対象箇所を精度よく定義でき、これらの箇所への施療を適切に実行できる。また、肩位置検出に係る被施療者の押圧を伴う検出子の移動が背もたれ部の上下方向中間位置かその上方から開始し、肩位置検出に際して検出子を被施療者の体後面に沿って動かす区間を必要最小限にすると共に、着座位置検出を行う座面近傍位置から肩位置検出開始位置までの間は、検出子を被施療者から離した状態で上方へ速やかに移動させるのみとなり、着座位置検出後の肩位置検出への移行及び肩位置検出自体の実行時間を短縮して、被施療者の施療を速やかに実行でき、施療による被施療者のリラックス状態への移行をより一層促せる。
【００１８】
また、本発明の開示するマッサージ機は必要に応じて、被施療者の各施療対象箇所ごとにあらかじめ設定された、施療機構の変位に係る前後方向のオフセット量のうち、一部の施療対象箇所のオフセット量について、前記制御部が、前記着座位置検出時の検出子が着座状態の被施療者を押圧して停止するまでの移動量の大小に基づき、前後方向に位置調整して、被施療者の着座姿勢に応じたオフセット量を新たに設定するものである。
【００１９】
このように本発明の開示によれば、背もたれ部が座部に対し傾動可能な一般的な椅子構造の場合に、被施療者が背もたれ部にもたれつつ着座した状態で、被施療者の座面近傍における体後面部分と背もたれ部との間に生じる隙間の大きさは、被施療者の体格や着座姿勢により変化し、被施療者の体が大きいか、着座姿勢が前寄りであるほど、座面近傍における体後面部分と背もたれ部との間隔が大きくなるなど、体格や着座姿勢で決る被施療者の体後面各部位の前後方向位置と前記隙間の大きさとは対応関係にあることを、本出願人が知見したことに基づいて、この隙間の大きさに対応する、着座位置検出の際における検出子の前方への移動量を取得し、各施療対象箇所ごとの、施療機構の変位に係る前後方向のオフセット量を、あらかじめ設定された初期値から、検出子の前記移動量を踏まえて調整することにより、調整で得られる新たなオフセット量は、被施療者の体格や着座姿勢に対応したものとなって、着座状態の被施療者にとって最適な値とすることができ、マッサージ機上の実際の被施療者により一層適応した施療を実行でき、使用する被施療者一人一人に合わせた効果的な施療が行える。
【００２０】
また、本発明の開示するマッサージ機は必要に応じて、前記肩位置検出で肩位置が定まると、前記位置検出部が、肩位置が定まった時点の検出子の位置を所定時間そのまま維持し、肩位置が定まったら、少なくとも肩位置検出の終了を被施療者に報知する報知手段と、被施療者による、肩位置の再設定指示、並びに、再設定指示後の検出子の上下各方向移動指示及び肩位置決定の各入力操作を少なくとも受け付ける入力手段とを備え、前記制御部は、前記入力手段で肩位置の再設定指示の操作を受けた場合、位置検出部の検出子を後方に移動させて被施療者から離隔させた後、背もたれ部の上限位置まで移動させ、続いて、検出子を前方に所定距離移動させて、被施療者の体後面より前方に突出させた状態とし、さらに、制御部は、被施療者の入力手段に対する検出子の移動指示の操作に基づいて、検出子を上下方向に移動させ、移動により変位した検出子の位置について、被施療者が肩位置として決定する操作が新たに入力手段に対しなされたら、操作時点の検出子の位置を、新たな肩位置に設定するものである。
【００２１】
このように本発明の開示によれば、肩位置検出で肩位置が定まったら、検出子の位置をしばらくそのままにして、定まった肩位置を検出子で示すようにすると共に、肩位置検出終了を被施療者に報知手段で報知し、報知を受けた被施療者が、入力手段を通じて肩位置の再設定指示を入力すると、制御部は検出子を被施療者から離隔させてから背もたれ部の上限位置まで移動させ、続いて検出子を被施療者の操作に基づいて上下方向に移動させて位置調整し、最終的に被施療者の決定操作を受けて新たな肩位置を設定することにより、報知手段からの報知を受けた被施療者が、定まった肩位置が検出子の位置であることを理解して、検出子位置が適切な肩位置でなく、この検出子の位置を肩位置とみなしての施療実行を望まない場合には、被施療者の入力手段への入力操作を受けて、制御部が肩位置の設定をあらためて行うこととなり、被施療者の操作に基づいて移動した検出子の位置を、肩位置として認めた被施療者による肩位置決定操作を経て、新たな真の肩位置として設定すれば、被施療者にとって適切な肩位置としてより納得しやすい位置が肩位置となり、肩位置設定に対しての被施療者の不満を解消して被施療者の満足度を高められ、施療による被施療者のリラックス状態への移行をより確実化すると共に、被施療者本人により定められた正確な肩位置に基づいて被施療者の各施療対象箇所を正しく定義でき、各施療対象箇所への適切な施療を可能にして施療効果を高められる。
【図面の簡単な説明】
【００２２】
【図１】本発明の第１の実施形態に係るマッサージ機の斜視図である。
【図２】本発明の第１の実施形態に係るマッサージ機のブロック図である。
【図３】本発明の第１の実施形態に係るマッサージ機の起動当初からの座部傾動状態説明図である。
【図４】本発明の第１の実施形態に係るマッサージ機における電源投入から肩位置検出直前状態に至る制御処理のフローチャートである。
【図５】本発明の第１の実施形態に係るマッサージ機における肩位置検出及び施療開始準備の制御処理のフローチャートである。
【図６】本発明の第１の実施形態に係るマッサージ機の操作部における表示部での位置検出実行中表示状態説明図である。
【図７】本発明の第１の実施形態に係るマッサージ機における着座位置検出状態説明図である。
【図８】本発明の第１の実施形態に係るマッサージ機の操作部における表示部での着座位置検出エラー表示状態説明図である。
【図９】本発明の第１の実施形態に係るマッサージ機における肩位置検出移行時の施療子移動状態説明図である。
【図１０】本発明の第１の実施形態に係るマッサージ機における肩位置検出状態説明図である。
【図１１】本発明の第１の実施形態に係るマッサージ機の操作部における表示部での肩位置検出終了表示状態説明図である。
【図１２】本発明の第１の実施形態に係るマッサージ機における肩位置再設定時の施療子移動状態説明図である。
【図１３】本発明の第１の実施形態に係るマッサージ機の操作部における表示部での肩位置再設定用各スイッチの表示状態説明図である。
【図１４】本発明の第１の実施形態に係るマッサージ機における他の肩位置再設定時の施療子移動状態説明図である。
【図１５】本発明の第２の実施形態に係るマッサージ機における被施療者の体格の差異に基づくオフセット量調整状態説明図である。
【図１６】本発明の第２の実施形態に係るマッサージ機における被施療者の着座姿勢の差異に基づくオフセット量調整状態説明図である。
【図１７】本発明の第３の実施形態に係るマッサージ機における第１ポジション選択時の起動当初からの各部傾動状態説明図である。
【図１８】本発明の第３の実施形態に係るマッサージ機における第２ポジション選択時の起動当初からの各部傾動状態説明図である。
【発明を実施するための形態】
【００２３】
（本発明の第１の実施形態）
以下、本発明の第１の実施形態に係るマッサージ機を前記図１ないし図１３に基づいて説明する。
前記各図において本実施形態に係るマッサージ機１は、着座した被施療者を支える椅子状のものであり、詳細には、床面上に載置されて椅子全体を安定的に支持する基台部１１と、この基台部１１の上方で被施療者の臀部を支える座部１２と、この座部１２の後側で被施療者の背中を支える背もたれ部１３と、座部１２の左右両側で被施療者の肘や前腕部を支える肘掛部１４と、座部１２の前側で被施療者の脚を支える脚支持部１５と、マッサージ動作に係る各種操作入力を受付ける操作部３０と、搭載されている複数の施療機構による施療に係る作動を操作入力や記録情報等の内容に基づいて制御する制御部４０とを備える構成である。
【００２４】
前記基台部１１は、椅子各部をなす前記座部１２、背もたれ部１３、肘掛部１４、及び脚支持部１５を一体に取付けられてこれらを支持するものである。また、前記座部１２は、基台部１１に対し座面の傾斜角度を調整可能として取付けられ、座面にて被施療者の臀部や太腿部を支えつつ内蔵の施療機構でマッサージを実行するものである。この座部１２の施療機構としては、空気の給排で動作する臀部用エアセル７１、及び太腿用エアセル７２を備える構成である。これらエアセルを空気の給排で動作させるエアポンプ７０が座部１２下側のスペースに配設される。さらに、この座部１２と基台部１１との間には、座部１２を傾動させるためのアクチュエータ（図示を省略）が配設される。
【００２５】
前記背もたれ部１３は、人の背中形状に合せた表面形状とされて前記基台部１１及び座部１２に対し傾斜角度を調整可能として配設され、その内部に、マッサージを実行する施療機構を備える構成である。
【００２６】
背もたれ部１３内部には、左右一対の施療子５１とこれを動作させる駆動機構部６０が一体となったメカユニット５０と、このメカユニット５０を背もたれ部１３上下方向に移動可能に支持しつつ、背もたれ部の各部を内部から支える枠状の背もたれ部フレーム１３ａと、前記エアポンプ７０による空気の給排で動作する背中用エアセル７３及び腰用エアセル７４とがそれぞれ配設される構成である。このうちメカユニット５０、背中用エアセル７３、及び腰用エアセル７４が、それぞれマッサージを実行する施療機構をなす。
【００２７】
なお、この背もたれ部１３の左右両側部には、被施療者に面する内面側にエアセル等の施療機構を設けた一対の側壁部を突出配設して、被施療者の上腕部等に対して側方からマッサージを行えるようにすることもできる。
【００２８】
前記背もたれ部フレーム１３ａは、メカユニット５０を背もたれ部１３上下方向に移動可能とし且つ他方向への動きは拘束して支持する左右一対のガイドフレーム２０間に、複数の横フレームを横方向に掛渡して一体に連結して、略梯子状のフレーム構造とされるものである。この背もたれ部フレーム１３ａと座部１２又は基台部１１との間に、背もたれ部１３を傾動させるためのアクチュエータ（図示を省略）が配設される。
【００２９】
前記メカユニット５０は、揉み、叩き等の刺激を被施療者に与える左右一対の施療子５１と、これら施療子５１をそれぞれ突出状態で支持する左右一対の施療子支持アーム５２と、この施療子支持アーム５２を介して施療子５１を揉み、叩き等のマッサージ動作に対応させて駆動する駆動機構部６０と、背もたれ部上下方向に直交する軸線を中心として駆動機構部６０を傾動可能に支持するベース部５４とを備える構成である。
【００３０】
前記駆動機構部６０は、制御部４０の制御に基づいて施療子５１に揉み動作を行わせるための駆動力を発生させる揉みモータ６２と、制御部４０の制御に基づいて施療子５１に叩き動作を行わせるための駆動力を発生させる叩きモータ６４と、各モータからの運動を施療子支持アーム５２を介して施療子５１に伝達する揉み機構及び叩き機構（図示を省略）とを備える、公知のマッサージ機に用いられるものと同様の機構であり、詳細な説明を省略する。
【００３１】
前記ベース部５４は、駆動機構部６０を傾動可能に支持するものであり、この他、制御部４０の制御に基づいて、メカユニット昇降用の駆動力を発生させる昇降モータ５７と、駆動機構部６０を傾動させる駆動力を発生させる進退モータ５８とを備える構成である。
【００３２】
メカユニット５０は、ベース部５４の側端部を一対のガイドフレーム２０にそれぞれ上下走行可能に支持されることで、ガイドフレーム２０に挟まれる配置状態となり、メカユニット５０全体としてガイドフレーム２０に沿って移動可能とされる構成である。そして、制御部４０による制御に基づき、昇降モータ５７が作動してベース部５４がガイドフレーム２０を走行する状態となることで、ベース部５４を含むメカユニット５０全体が、ガイドフレーム２０に沿って背もたれ部１３の上下に移動することとなり、背もたれ部１３における施療子５１の位置を上下に変えられる仕組みである。
【００３３】
そして、メカユニット５０は、設定されたマッサージの内容に応じて、制御部４０による制御で、上記のように背もたれ部１３の上下に移動し、施療子５１の上下位置を調整されると共に、進退モータ５８の作動による施療子５１と駆動機構部６０の傾動で、施療子５１の被施療者側への突出量を調整されて、施療子５１をマッサージの対象箇所に位置させる。施療子５１の移動後、又はこうした施療子５１の移動と並行して、制御部４０が、マッサージの種類に応じて、メカユニット５０における駆動機構部６０の揉み、叩き用のモータを作動させ、施療子５１に設定された揉みや叩き等のマッサージに対応した動きを行わせることとなる。
【００３４】
このメカユニット５０は、被施療者の体後面要部の位置を検出する位置検出部も兼ねており、施療子としての施療子５１が検出子として作動する仕組みである。制御部４０による制御で、メカユニット５０全体が背もたれ部１３の上下に移動することで、検出子である施療子５１の位置を上下に変えることができ、また、進退モータ５８の作動による施療子５１と駆動機構部６０の傾動で、施療子５１の被施療者側への突出量を変化させる、すなわち施療子５１を背もたれ部前後方向に移動させて、検出子の施療子５１で被施療者の体後面所定箇所の検出が行える仕組みである。
【００３５】
より詳細には、メカユニット５０は、制御部４０による制御の下、施療子５１を、背もたれ部１３における、座部１２の座面より所定距離上方の、着座状態にある被施療者の臀部に対向する領域内の所定位置に位置させつつ、施療子５１を前方へ移動させて着座位置検出を行う。また、この着座位置検出で被施療者が適切な着座状態にあると判定された場合、メカユニット５０は、施療子５１を後方へ移動させ被施療者から一旦離した後、背もたれ部１３内で上方へ移動して、後述する肩位置検出範囲の下限位置である、背もたれ部１３の上下方向中間位置又はより上側の所定箇所に、施療子５１を位置させることとなる。
【００３６】
さらにメカユニット５０は、この肩位置検出範囲の下限位置から、施療子５１を前方に移動させて被施療者の体後面部分に接近させ、前方へ移動を続けようとする施療子５１で体後面部分を押しつつ、施療子５１と共に上方へ移動し、上に移動する施療子５１が体後面部分の上縁から外れて体の拘束を受けずに前方へ移動可能となった状態で、制御部４０が施療子５１の前方への移動に伴う所定の変化から肩位置を認定するまでの、一連の肩位置検出を行うこととなる。
【００３７】
そして、進退モータ５８は、制御部４０で肩位置が認定された後、得られた肩位置の情報、及び、あらかじめ設定された被施療者の各施療対象箇所と肩との相対位置関係の情報に基づいて定義された、実際の被施療者の各施療対象箇所の上下位置と、こうした各施療対象箇所ごとにあらかじめ設定された、施療時の施療機構、すなわち施療子５１の変位に係る前後方向のオフセット量といった情報に基づく制御部４０の制御により、その駆動状態を変化させて駆動機構部６０を傾動させ、施療子５１を進退させて施療子５１の被施療者に対する突出量を調整し、被施療者ごとに最適な施療を提供できるようにしている。
【００３８】
前記肘掛部１４は、座部１２の両側に配設され、背もたれ部１３がリクライニング角度を変化させたり、座部１２が傾動した場合でも、被施療者の前腕を安定的に支持するよう形成される構成である。この肘掛部１４にも、前記エアポンプ７０による空気の給排で動作するエアセルを配設して、被施療者の前腕部に対しマッサージを行える構成としてかまわない。
【００３９】
前記脚支持部１５は、座部１２の前側に位置し、座部１２前端付近を中心として傾動可能に配設されるものである。この脚支持部１５にも、前記エアポンプ７０による空気の給排で動作する脚用エアセルや、上下に移動しつつ脚を押圧するローラ等の施療機構を配設するようにしてかまわない。脚支持部１５と背もたれ部１３又は基台部１１との間には、脚支持部１５を傾動させるためのアクチュエータ（図示を省略）が配設される。
【００４０】
前記操作部３０は、マッサージ機に関する各種情報等を画面として表示する表示部３１と、マッサージ機に対する各種操作入力を受付ける複数のスイッチ３２とを備え、マッサージ機１の側部におけるスタンド３３に着脱自在に設置され、マッサージに係る操作入力を制御部４０に送信する一方、必要に応じて制御部４０から送られる表示情報を受信して表示部３１に表示するものである。なお、操作部３０の位置を被施療者にとって最適位置とするために、スタンド３３の位置は調整可能となっている。
【００４１】
この操作部３０では、情報を被施療者に報知する報知手段としての表示部３１が、マッサージ機に対する各種操作入力を受付けるスイッチを兼ねるものとされており、表示部３１に表示された所定のスイッチ領域を触れることでスイッチ操作を行えるようにした、いわゆるタッチパネル式の画面スイッチ３１ａ、・・・、３１ｆを、状況に応じて使用可能に表示する仕組みである。こうして、操作部３０には、入力手段として、表示部３１とは独立した多数のスイッチ３２と、表示部３１で表示された画面スイッチ３１ａ、・・・、３１ｆとの二系統のスイッチが存在することとなる。
【００４２】
前記スイッチ３２は、操作部３０をスタンドに設置した状態でも表面に露出して操作可能となる配置として操作部３０に配設される構成である。多数のスイッチ３２の中には、マッサージ機１の作動中に被施療者にとって危険な状況が生じた際に、マッサージ機１を速やかに停止させるための緊急停止スイッチ３２ａが含まれる。この緊急停止スイッチ３２ａは操作入力の有無を常に制御部４０で検知される、すなわち、常時操作可能とされており、どのような状況でも、緊急停止スイッチ３２ａの操作でマッサージ機１を停止させられる。そして、被施療者の操作によらない、位置検出及びこれに先立つ座部等の傾動に係る各部の作動についても、緊急停止スイッチ３２ａを被施療者が操作することで、安全に停止させることができる。
【００４３】
前記制御部４０は、あらかじめ被施療者の体の一部の位置検出を実行し、得られた情報を踏まえて、施療機構やマッサージ機の他の各可動部分を被施療者に対応した状態に調整すると共に、施療機構や他の各可動部分に対し、操作部３０からの操作やあらかじめ記録設定された施療内容、また前記位置検出結果の情報に基づいて、適切な施療の実行のための制御を行うものである。
【００４４】
この制御部４０は、そのハードウェア構成として、ＣＰＵやメモリ、入出力インターフェース等を備えるコンピュータとなっており、メモリ等に格納されるプログラムにより、コンピュータを制御部４０として動作させる仕組みである。この制御部４０をなすコンピュータは、ＣＰＵやメモリ、ＲＯＭ等を一体的に形成されたマイクロコンピュータとしてもかまわない。
【００４５】
この制御部４０をなすコンピュータのユニットは、座部１２直下等のマッサージ機１内部の所定のスペースに配設され、操作部３０と通信可能な状態とされると共に、メカユニット５０の各種モータや、座部１２や背もたれ部１３、脚支持部１５を傾動させる各アクチュエータ、エアポンプ７０とそれぞれ電気的に接続され、被施療者の体の所定箇所の位置検出の際にはあらかじめ設定された位置検出用プログラムに基づく制御信号出力により、また、マッサージ実行の際には設定されたマッサージのデータに基づく制御信号出力により、これらの駆動機構の作動を制御する。
【００４６】
加えて、制御部４０は、メカユニット５０や各アクチュエータの変位量を出力するエンコーダ等の信号出力手段とも電気的に接続されており、メカユニット５０の状態や、座部１２、背もたれ部１３、及び脚支持部１５の傾斜等の状態を把握しつつ、モータやアクチュエータ等の駆動手段の作動制御を行うこととなる。特に、制御部４０は、被施療者が着座し、マッサージ機起動後、位置検出に移行する前に、座部１２の水平面に対する傾斜角度を取得し、傾斜角度が最小角度としての１０ないし１５°の角度未満である場合には、座部用のアクチュエータを作動させて座部１２を傾動させ（図３参照）、傾斜角度を前記最小角度以上の所定角度としてから、位置検出に移行する仕組みである。
【００４７】
さらに、制御部４０は、被施療者の体における所定箇所の位置検出のために、位置検出部を兼ねるメカユニット５０を制御し、メカユニット５０を背もたれ部１３内でガイドフレーム２０に沿って上下移動させ、施療子５１を上下方向に移動可能とすると共に、施療子５１と駆動機構部６０の傾動で施療子５１を背もたれ部前後方向に移動可能として、検出子でもある施療子５１を被施療者に対し適切に動かせるようにしている。
【００４８】
そして、制御部４０は、施療に先立ち、体の所定箇所の位置検出、より詳細には、着座位置検出及び肩位置検出として、施療子５１に位置検出の対象に応じた移動を行わせ、被施療者側へ移動させた施療子５１が被施療者を押圧する状態となってさらなる移動を妨げられ停止した場合や、拘束を受けていた施療子５１が拘束を受けない状態となって新たな移動を生じた場合などの、検出対象の位置における施療子５１の移動に係る変化を、各モータの回転数等の変化や、エンコーダ出力の変化量又は変化割合から識別する公知の手法を用いることで、この施療子５１の移動に係る変化が生じた位置を検出、把握することとなる。
【００４９】
詳細には、制御部４０は、着座位置検出として、背もたれ部１３における、座部１２の座面より所定距離上方の、着座状態にある被施療者の臀部に対向する領域内の所定位置、より具体的には、背もたれ部１３における座面上方の約５ｃｍの範囲内の所定位置、好ましくは座面から約２ｃｍ上方の位置、に検出子である施療子５１をメカユニット５０ごと移動させて位置させつつ、この施療子５１を前方へ移動させ、施療子５１の前方への移動可能範囲内で施療子５１が被施療者を押圧する状態となって、さらなる前方への移動を妨げられ停止した場合（図７（Ｂ）参照）に、この施療子５１の移動停止を、例えば、エンコーダ出力が所定時間以上ほとんど変化しない状況から識別して、この施療子の停止位置を被施療者の着座位置として検出し、この位置までの施療子５１の前方への移動量を取得する。なお、検出子である施療子５１の停止の識別には、エンコーダ出力の他に、進退モータ５８の減速、停止等の検知結果を用いることもできる。
【００５０】
ここで、上記のように施療子５１の前方への移動可能範囲内で施療子５１が停止して着座位置検出がなされた場合には、制御部４０は、被施療者が適切な着座状態にあると判定し、次の肩位置検出に移行することとなる。一方、施療子５１の前方への移動可能範囲限界位置まで、施療子５１が被施療者を押圧することなく移動した場合には、被施療者が適切に着座していないエラー状態であると判定し、報知手段としての操作部３０の表示部３１に、着座位置検出に係るエラーを通知すると共に被施療者に適切な着座を促す所定の表示を行わせる（図８参照）。
【００５１】
また、制御部４０は、着座位置検出で被施療者が適切な着座状態にあると判定したら、施療子５１を後方へ移動させて被施療者から一旦離した後、メカユニット５０を背もたれ部１３内で上方へ所定距離移動させ、背もたれ部１３の上下方向中間より若干上側の、肩位置検出範囲の下限位置に施療子５１が位置するようにする（図９参照）。続いて、制御部４０は、肩位置検出として、施療子５１を前方に移動させて被施療者の体後面部分に接近させ、前方へ移動を続けようとする施療子５１で体後面部分を押しつつ、施療子５１をメカユニット５０ごと上方へ移動させ、施療子５１が体後面部分に沿って上昇する状態（図１０参照）とする。そして、制御部４０は、上へ移動している施療子５１が体後面部分の上縁、すなわち肩上部から外れて体の拘束を受けずに前方へ移動可能となった状態で、例えば、施療子５１の前方への移動に伴う位置変化を表すエンコーダ出力のカウント数変化量が所定値に達した場合に、施療子５１のさらなる移動を識別して、この際の施療子５１の上下方向位置を検出し、上下方向における被施療者の肩位置として設定する。
【００５２】
なお、検出子である施療子５１の前記拘束状態から前方へさらに移動する状態へ移行する変化の識別には、エンコーダ出力のカウント数変化量そのものを利用する他、カウント数変化割合の増大やカウント数変化が所定時間継続する状態を用いることができ、また、進退モータ５８の回転数増大等の検知結果を用いることもできる。
【００５３】
制御部４０は、肩位置が一旦定まると、メカユニット５０や施療子５１を一時停止状態として、肩位置が定まった時点の施療子５１位置を所定時間そのまま維持して、定まった肩位置を施療子５１の現在位置で示すようにする一方で、報知手段としての操作部３０の表示部３１で、肩位置検出の終了表示と共に、入力手段としての、施療の開始指示用、及び、肩位置再設定指示用の各画面スイッチ３１ｂ、３１ｃを被施療者に対し表示する（図１１参照）。
【００５４】
この表示部３１での表示による報知を受けて、施療子５１の位置を定まった肩位置として認識した被施療者が、施療子５１位置が適切な肩位置としてそのまま受け入れて、表示部３１の施療開始指示用のスイッチへの操作を行うと、制御部４０は、定まった肩位置とあらかじめ記録されている一般的な人の体型データに基づく人の体後面の各施療対象箇所（例えば、首、背中、腰など）と肩との相対位置関係情報（例えば、座面から肩位置までを１００とすると、腰位置は３０、首位置は１１０、など）に基づいて、各施療対象箇所の上下方向位置を算出して定義し、さらに、同じく一般的な人の体型データに基づいて人の各施療対象箇所ごとにあらかじめ設定された、施療時の施療子５１の変位に係る前後方向の各オフセット量をそのまま適用するようにして、マッサージ機で施療の実行が可能な状態に移行する。
【００５５】
一方、表示部３１での表示を受けて、施療子５１の位置を定まった肩位置として認識した被施療者が、施療子５１位置が適切な肩位置でないと感じて、この施療子５１の位置を肩位置とみなしての施療実行を望まない意図から、表示部３１における肩位置再設定指示用の画面スイッチ３１ｃに対し、肩位置の再設定指示の操作を行った場合、制御部４０は、施療子５１を後方に移動させて被施療者から離隔させた後、メカユニット５０を上方に移動させて背もたれ部１３の上限位置まで施療子５１を移動させ、続いて、施療子５１を前方に所定距離移動させて、被施療者の体後面より前方に突出させた状態とする（図１２参照）。合わせて、制御部４０は、あらためて表示部３１に施療子の上下各方向移動指示用、及び新たな肩位置決定用の各画面スイッチ３１ｄ、３１ｅ、３１ｆを表示する（図１３参照）。
【００５６】
そして、制御部４０は、被施療者による施療子移動指示用のスイッチの操作に基づいて、施療子５１をメカユニット５０ごと上下移動させる一方、移動した後の施療子５１の新たな位置について、この施療子で示される位置を肩位置に決定するために被施療者により肩位置決定用のスイッチの操作がなされたら、このスイッチ操作がなされた時点の施療子５１の位置を検出し、新たな肩位置に設定する。この新たな肩位置の設定後は、前記表示部３１の施療開始指示用のスイッチを被施療者が操作した場合と同様に、制御部４０は、被施療者の各施療対象箇所の上下方向位置を定義すると共に、各施療対象箇所ごとの施療子５１の変位に対する前後方向の各オフセット量を適用して、施療の実行が可能な状態に移行する。
【００５７】
こうして、被施療者の入力により指定された施療子５１の位置を、新たに定められた肩位置として設定すれば、被施療者にとって適切な肩位置としてより納得しやすい位置が肩位置となり、肩位置設定に対しての被施療者の不満を解消して被施療者の満足度を高め、施療による被施療者のリラックス状態への移行をより確実化することとなる。
【００５８】
なお、肩位置検出の際、制御部４０は、施療子５１が被施療者の体後面を押圧しつつ体後面部分に沿って上方へ移動するようにした上で、施療子５１が体後面部分の上縁部から外れて体の拘束を受けずに前方へ移動可能となった状態で、施療子５１の前方への移動に伴う位置変化をエンコーダ出力等から識別して、この際の施療子５１の上下方向位置を検出し、被施療者の肩位置として設定するようにしているが、仮に被施療者の体格が大きく、施療子５１が背もたれ部１３の上側移動限界に達しても被施療者の体後面部分の上縁部を越えず、体による施療子５１への拘束が維持されて、施療子５１の肩到達に伴う前方移動を検知できない場合には、制御部４０は、施療子５１の背もたれ部１３における上側移動限界位置を被施療者の肩位置として設定する。
【００５９】
次に、本実施形態に係るマッサージ機における被施療者の一部位置検出に基づいて各施療対象箇所を設定する制御について説明する。はじめに、マッサージ機の起動から着座位置検出までの制御処理について、図４のフローチャートを用いて説明する。前提として、マッサージ機１に対し、一般的な体格の被施療者が、座部１２に臀部及び太腿部の一部を載せて着座し、背中を背もたれ部１３にもたれさせ、脚支持部１５に脚を沿わせた状態とし、さらに、前腕部を肘掛部１４に載せているものとする。
【００６０】
この状態で、マッサージ機１の主電源スイッチが入とされて、マッサージ機１が電源投入状態となると（ステップＳ００１）、まず制御部４０は、座部１２の傾斜角度が最小角度未満、例えば、１５°未満、であるか否かを判定する（ステップＳ００２）。
【００６１】
座部１２の傾斜角度が１５°未満である場合、制御部４０はアクチュエータを作動させて、座部１２の傾斜角度が最小角度以上、例えば、１５°となるまで座部１２を傾動させる（ステップＳ００３）。なお、座部１２と、背もたれ部１３及び／又は脚支持部１５とが連動する機構を有して、座部１２の傾動に連動して背もたれ部１３及び／又は脚支持部１５も同じ向きに傾動可能である場合には、座部１２の傾動の際に背もたれ部１３及び／又は脚支持部１５をそのまま連動させて傾動させる（図３参照）。一方、座部１２と、背もたれ部１３及び／又は脚支持部１５とが連動しない場合には、連動しない背もたれ部１３及び／又は脚支持部１５をアクチュエータの作動により座部１２と同時に所定角度分傾動させ、例えば、背もたれ部１３及び／又は脚支持部１５の座部１２に対する傾斜角度が座部１２の傾動後も維持されるようにするのが好ましい。
【００６２】
制御部４０が、座部用のアクチュエータを作動させて座部１２を傾動させ、座部１２の傾斜角度を最小角度未満から最小角度以上とした場合、座部１２に着座している被施療者の重心は、着座当初より背もたれ部１３寄りにシフトし、この重心のシフトに伴って被施療者の背中が背もたれ部１３により強く密着した状態となる。この状態で着座位置検出を実行することで、被施療者のずれを招くことなく安定して着座位置検出を行える。加えて、被施療者の腰の付け根部分が、座部１２と背もたれ部１３間のくぼみ部分に落ち込む状態となって座部１２と背もたれ部１３により密着し、被施療者の体格や、被施療者の当初の着座姿勢によらず、腰の付け根部分及び背中をマッサージ機側へ密着させられ、十分なマッサージ効果を被施療者が得やすい、より望ましい着座姿勢とすることができる。
【００６３】
座部１２の傾動が終了した後、制御部４０は操作部３０の表示部３１に、施療に係る位置検出を実行している旨が表された画面（図６参照）を表示する（ステップＳ００４）。
前記ステップＳ００２で、座部の傾斜角度が１５°未満でない、すなわち１５°以上であると判定されたら、そのまま前記ステップＳ００４へ移行する。
【００６４】
こうして、電源投入直後、座部１２の傾斜角度が最小角度未満の場合は、制御部４０がメカユニット５０を作動させて着座位置検出を実行する状態に至る前に、座部１２の傾斜角度を最小角度以上とする角度調整が実行されるようになっており、着座しやすさを重視して、起動前は座部１２の傾斜が浅くなっている場合でも、座部１２の傾斜角度が最小角度未満のままで着座位置検出が実行される状態とはならない、すなわち、座部１２の傾斜が浅く、着座した被施療者がマッサージ機に対しずれかねないような状況では、着座位置検出を実行しないことで、被施療者の体のずれに伴って誤った着座位置検出がなされる事態を避けられる。
【００６５】
表示部３１の表示に続いて、制御部４０は、着座位置検出として、まず、背もたれ部１３最下部の初期位置にあるメカユニット５０において、昇降モータ５７を作動させ、ガイドフレーム２０に対しメカユニット５０全体を上に動かし、検出子である施療子５１を上方へ移動させる。そして、施療子５１を、背もたれ部１３における、座部１２の座面から約２ｃｍ上方の位置に到達させる（図７（Ａ）参照、ステップＳ００５）。
【００６６】
また、制御部４０は進退モータ５８も作動させ、メカユニット５０のベース部５４に対する施療子５１と駆動機構部７０の傾動状態を調整して、施療子５１を被施療者に向かう前方へ移動させる（ステップＳ００６）。この後、制御部４０は、施療子５１の前方への移動が停止したか否かを判定する（ステップＳ００７）。施療子５１の移動が停止していない場合は、前記ステップＳ００６に戻って施療子５１の移動を継続させる。
【００６７】
前記ステップＳ００７で、施療子５１の移動が停止した場合、移動停止の検出が、施療子５１が前方への移動限界に達する前に、移動していた施療子５１が被施療者を押圧する状態となって、さらなる前方への移動を妨げられ停止した場合（図７（Ｂ）参照）に対応する、例えば、エンコーダ出力のほとんど変化しない状況が所定時間以上継続する事象を受けてのものであるか否かを判定する（ステップＳ００８）。
【００６８】
ここで、施療子５１の移動停止が、前方移動限界に達する前の検出で得られたものである場合、制御部４０は、施療子５１の停止位置を被施療者の着座位置として検出し、この位置までの施療子５１の前方への移動量を取得する（ステップＳ００９）と共に、被施療者が適切な着座状態にあると判定し、次の肩位置検出に移行するために、進退モータ５８を施療子５１と駆動機構部６０が被施療者から離れる向きに傾動するよう作動させ、メカユニット５０の移動にあたり施療子５１が被施療者の体後面各部と接触することのない位置まで施療子５１を後方へ移動させ（図９（Ａ）参照、ステップＳ０１０）、その後、メカユニット５０を背もたれ部１３内で上方へ所定距離移動させ、背もたれ部１３の上下方向中間より若干上側の肩位置検出範囲の下限位置に施療子５１が位置するようにして（図９（Ｂ）参照、ステップＳ０１１）、肩位置検出前の処理を終える。
【００６９】
一方、前記ステップＳ００８で、施療子５１の移動停止が、前方移動限界に達する前の検出で得られたものでなく、移動限界に達したことによる施療子５１の自動停止に基づいて検出されたものである場合、制御部４０は、被施療者が適切に着座していないエラー状態であると判定し、報知手段としての操作部３０の表示部３１に、着座位置検出に係るエラーを通知すると共に被施療者に適切な着座を促す、所定の表示（図８参照）を行わせる（ステップＳ０１２）。同時に、位置検出を再度行うために一旦待機状態に移行する指示の操作を受ける画面スイッチ３１ａを表示部３１に表示し（ステップＳ０１３）、この画面スイッチ３１ａで被施療者からの操作入力を受け付けると（ステップＳ０１４）、制御部４０は、施療子５１を後方へ移動させて被施療者から一旦離し（ステップＳ０１５）、その後、表示部３１に待機状態を示す表示を行った上で待機状態となって、一旦処理を終えることとなる。
【００７０】
続いて、被施療者の肩位置検出から体後面の各施療対象箇所の設定までの制御処理について、図５のフローチャートを用いて説明する。前提として、マッサージ機１に着座した被施療者に対し上記の着座位置検出がなされて、被施療者が適切な着座状態にあると判定され、肩位置検出に移行するために、既に施療子５１が肩位置検出範囲の下限位置としての、背もたれ部１３の上下方向中間より若干上側の位置（図９（Ｂ）参照）に到達しているものとする。
【００７１】
肩位置検出として、制御部４０は、まず進退モータ５８を作動させ、メカユニット５０のベース部５４に対する施療子５１と駆動機構部７０の傾動状態を調整して、施療子５１を被施療者に向かう前方へ移動させる（ステップＳ１０１）。移動する施療子５１を被施療者の体後面部分に接近させ、さらに前方へ移動を続けようとする施療子５１で体後面部分を押した状態を維持しつつ、制御部４０は、昇降モータ５７を作動させ、ガイドフレーム２０に対しメカユニット５０を上に動かし、施療子５１をメカユニット５０ごと上方へ移動させ（図１０（Ａ）参照、ステップＳ１０２）、施療子５１が体後面部分に沿って上昇する状態とする。
【００７２】
そして、制御部４０は、前方へ移動しようとして体後面部分を押しながら上方への移動を続ける施療子５１が、体後面部分の上縁、すなわち肩上部から外れて、体による拘束を受けずに前方へ移動可能となった状態で、施療子５１の新たな前方への移動に伴う位置変化（図１０（Ｂ）参照）が生じた場合に、施療子５１の移動変位を、エンコーダ出力のカウント数変化量が所定値に達することから識別して、この前方への移動を生じた施療子５１の位置を肩位置として検出し（ステップＳ１０３）、施療子５１の背もたれ部上下方向の位置に係る情報から肩位置の上下方向座標を設定する。
【００７３】
以上の肩位置検出により一旦肩位置が定まったら、制御部４０はメカユニット５０の昇降モータ５７や進退モータ５８を停止させ、施療子５１を肩位置が定まった時の位置にそのまま所定時間保持する（ステップＳ１０４）。また、制御部４０は、操作部３０の表示部３１で肩位置検出の終了を示す所定の表示を行うと共に、表示部３１に施療の開始指示用、及び、肩位置再設定指示用の各画面スイッチ３１ｂ、３１ｃを、被施療者の選択操作可能な状態で表示する（図１１参照、ステップＳ１０５）。
【００７４】
こうして、被施療者に肩位置が検出、設定されたことを報知して、保持された施療子５１位置で表される、自動設定された肩位置を被施療者に認識させ、被施療者がこの設定された肩位置を受け入れる場合はそのまま施療の開始を指示させるようにし、また、設定された肩位置を被施療者が受け入れない、すなわち、被施療者が、施療子５１位置が適切な肩位置でないと感じて、この施療子５１の位置を肩位置に設定した上での施療実行を望まない場合には、肩位置の再設定を指示させるようにしている。
【００７５】
表示後、制御部４０は、施療の開始指示用の画面スイッチ３１ｂに被施療者の入力操作がなされたか否かを判定し（ステップＳ１０６）、施療への移行を指示するスイッチへの入力操作がなされた場合、制御部４０は、昇降モータ５７を作動させ、メカユニット５０と共に施療子５１を上昇させて、施療子５１を肩から離隔させる（ステップＳ１０７）。また、進退モータ５８を、施療子５１と駆動機構部６０が被施療者から離れる向きに傾動するよう作動させ、メカユニット５０の上下動にあたり施療子５１が被施療者の体後面部分と接触することのない位置まで後退させて（ステップＳ１０８）、肩位置検出に係る各機構の作動を停止状態とする。
【００７６】
その後、制御部４０は、肩位置検出で得られた肩位置の情報、及び、あらかじめ設定された一般的な人の体後面における各施療対象箇所（例えば、首、背中、腰など）と肩との相対位置関係の情報に基づいて、被施療者の各施療対象箇所の上下位置を新たに算出し定義する（ステップＳ１０９）。このようにして被施療者の各施療対象箇所の位置を定義し、これらに対する施療子５１他での施療を開始可能な状態としたら、一連の処理は完了となる。
【００７７】
前記ステップＳ１０６で、施療の開始指示用の画面スイッチ３１ｂに被施療者の入力操作がなされていない場合、続いて、制御部４０は、表示部３１の肩位置再設定指示用の画面スイッチ３１ｃに被施療者の入力操作がなされた否かを判定し（ステップＳ１１０）、被施療者の入力操作がなされた場合、進退モータ５８を施療子５１と駆動機構部６０が被施療者から離れる向きに傾動するよう作動させ、施療子５１を後方に移動させて（図１２（Ａ）参照、ステップＳ１１１）被施療者から離隔させた後、メカユニット５０を背もたれ部１３の上限位置まで移動させ（図１２（Ｂ）参照、ステップＳ１１２）、続いて、施療子５１を前方に所定距離移動させて、被施療者の体後面より前方に突出させた状態とする（図１２（Ｃ）参照、ステップＳ１１３）。合わせて、表示部３１に、被施療者のスイッチ操作により肩位置の再設定を行う旨を表示すると共に、施療子５１の上下各方向移動指示用及び肩位置決定指示用の各画面スイッチ３１ｄ、３１ｅ、３１ｆを操作可能な状態で新たに表示する（図１３参照、ステップＳ１１４）。
【００７８】
そして、制御部４０は、施療子５１の下方向への移動指示用の画面スイッチ３１ｅに被施療者の入力操作がなされたか否かを判定し（ステップＳ１１５）、被施療者の入力操作がなされた場合、制御部４０は、操作に対応して、昇降モータ５７を作動させてメカユニット５０ごと施療子５１を下方へ移動させる（ステップＳ１１６）。この後、肩位置決定指示用の画面スイッチ３１ｆに被施療者の入力操作がなされたか否かを判定し（ステップＳ１１７）、被施療者の入力操作がなされた場合、制御部４０は、移動後の施療子５１位置を被施療者が肩位置として受け入れたと認定して、肩位置決定指示用のスイッチ操作時点の施療子５１位置を、新たな肩位置に設定する（ステップＳ１１８）。この新たな肩位置の設定後は、前記ステップ１０７へ移行し、それ以降の処理を繰り返す。
【００７９】
前記ステップＳ１１７で肩位置決定指示用の画面スイッチ３１ｆに被施療者の入力操作がなされていない場合、前記ステップＳ１１５に戻って、以降の処理を繰り返す。また前記ステップＳ１１５で下方向への移動指示用の画面スイッチ３１ｅに被施療者の入力操作がなされていない場合には、制御部４０は、施療子５１の上方向への移動指示用の画面スイッチ３１ｄに被施療者の入力操作がなされたか否かを判定し（ステップＳ１１９）、被施療者の入力操作がなされた場合、制御部４０は、操作に対応して、昇降モータ５７を作動させてメカユニット５０ごと施療子５１を上方へ移動させる（ステップＳ１２０）。この後は、前記ステップＳ１１７へ移行する。そして、前記ステップＳ１１９で上方向への移動指示用の画面スイッチ３１ｄに被施療者の入力操作がなされていない場合には、そのまま前記ステップＳ１１７へ移行する。
前記ステップＳ１１０で肩位置再設定指示用の画面スイッチ３１ｃに被施療者の入力操作がなされていない場合、前記ステップＳ１０６に戻って、以降の処理を繰り返す。
【００８０】
こうして簡略な位置検出を経て各施療対象箇所の上下方向位置を効率よく定義し、各施療対象箇所ごとの施療子５１の前後オフセット量の情報も利用可能として、施療開始可能な状態としたら、被施療者によりマッサージコース等の具体的施療内容指示が操作部３０のスイッチ等を通じて入力され、制御部４０が入力を受けて、各施療機構による施療が開始することとなる。
【００８１】
施療子５１によるマッサージの場合、設定されたマッサージの内容に応じて、制御部４０は、メカユニット５０をその昇降モータ５７の作動によりガイドフレーム２０に対し上下に移動させ、施療子５１の上下位置を首や肩、背中、腰等の各施療対象箇所に合わせるように調整すると共に、進退モータ５８を作動させて施療子５１と駆動機構部６０を傾動させ、各施療対象箇所ごとの施療子５１の変位に係る前後方向の各オフセット量を適用しつつ、施療子５１の被施療者側への突出量を調整して、施療子５１を施療対象箇所に位置させる。この後、又はこうした施療子５１の移動と並行して、制御部４０は、マッサージの種類に応じて、メカユニット５０の揉みモータ７２及び／又は叩きモータ７４を作動させ、メカユニット５０の施療子５１に、設定された揉みや叩き等のマッサージに対応した動きを行わせることとなる。
【００８２】
こうした施療がなされる中、被施療者による操作部３０からのリクライニング等の指示操作や、マッサージコースでの設定に基づいて、制御部４０が、座部１２、背もたれ部１３、及び／又は脚支持部１５を傾動させた場合、被施療者の着座姿勢が変化して、背もたれ部１３と被施療者の各施療対象箇所の位置関係も変わることがある。これを考慮して、座部１２、背もたれ部１３、及び／又は脚支持部１５の傾斜角度変化量に応じて、各施療対象箇所の上下方向位置を調整したり、各施療対象箇所ごとの施療子５１の変位に係る前後方向のオフセット量を既定値から変更して、被施療者の新たな着座姿勢に基づく体後面位置に施療子５１の作動を対応させる制御を制御部４０に実行させた上で、次の施療を行うようにすることもできる。
【００８３】
このように、本実施形態に係るマッサージ機は、着座した被施療者の座面近傍の体後面部分に対し検出子である施療子５１を前方に移動させて着座位置検出を行い、移動させた施療子５１が被施療者を押圧したら、制御部４０で適切な着座状態と判定して肩位置検出に移行し、得られた肩位置に基づいて被施療者の体後面における各施療対象箇所の上下位置を求めて、施療の制御に用いることから、背もたれ部１３が座部１２に対し傾動可能な一般的な椅子構造の場合に、被施療者が背もたれ部１３にもたれつつ正しく着座した状態で、被施療者の座面近傍における体後面部分と背もたれ部１３との間に隙間が生じていても、前後移動する施療子５１で被施療者の体後面部分を押圧可能な適切な範囲内であれば、被施療者が適切な着座状態にあるとして、その後の肩位置検出等の処理を滞りなく実行でき、問題なく確実に着座姿勢を把握できる。
【００８４】
また、着座位置検出以降の施療子５１を用いた位置検出が、肩位置検出として、着座位置検出位置から間隔を空けた上方の、上下方向中間位置より上側でなされて、体後面部分に沿って連続する施療子等検出子の上方移動を伴わない分、被施療者への検出子の接近、押圧による体型検出作業時間を省略できることとなり、施療に必要な被施療者の各施療対象箇所の位置定義をより短時間で完了して施療までの待ち時間を少なくでき、施療による被施療者のリラックス状態への移行を妨げないようにすると共に、検出した肩位置に基づいて被施療者の着座姿勢に対応した体後面部分の各施療対象箇所を適切に設定でき、各被施療者に対し施療を正しく実行できる。
【００８５】
なお、前記実施形態に係るマッサージ機においては、施療のための施療子５１が位置検出用の検出子を兼ねる構成としているが、これに限らず、施療子とは別に位置検出専用の検出子を設ける構成とすることもできる。
【００８６】
また、前記実施形態に係るマッサージ機においては、座部１２を基台部１１上に傾動可能に配設し、着座位置検出に先立って座部１２の傾斜角度を調整し、着座姿勢の定りにくい最小角度未満の傾斜角度では着座位置検出を行わないようにして、被施療者の姿勢のずれが生じ得る状態での着座位置検出を回避する構成としているが、これに限らず、マッサージ機の椅子形状が、着座当初から被施療者の着座姿勢を適切に維持できるものである場合には、被施療者の着座後、座部を傾動させることなく着座位置検出を実行するようにしてもかまわない。
【００８７】
また、前記実施形態に係るマッサージ機においては、着座位置検出に先立って、必要に応じて座部１２の傾斜角度を調整し、着座姿勢の安定する最小角度以上で着座位置検出を行うようにしているが、この他、着座位置検出の前に、座部１２の傾動と共に、あるいは、座部１２を傾動させずに、背もたれ部１３を傾動させて座部１２と背もたれ部１３とのなす角度を変えたり、脚支持部１５を座部１２に対し傾動させて座部１２と脚支持部１５とのなす角度を変えるようにすることもできる。
【００８８】
このうち、背もたれ部１３を傾動させて座部１２と背もたれ部１３とのなす角度を大きくした場合、着座状態の被施療者の重心が背もたれ部１３寄りにシフトし、この重心のシフトに伴って被施療者の体後面部分が背もたれ部１３により強く密着して、着座位置検出の際における被施療者のずれを防ぐことができる。また、脚支持部１５を座部１２に対しより上方へ傾動させた場合、被施療者の膝下部分の重みも腰の付け根部分に集中することとなり、腰の付け根部分が施療子５１の押圧に対し動きにくくなることで、着座位置検出を適切に実行できる。
【００８９】
さらに、前記実施形態に係るマッサージ機において、肩位置の再設定指示の操作を受け付けた制御部４０は、背もたれ部１３の上限位置まで移動させた施療子５１を前方への突出状態とした後、被施療者による施療子移動指示用のスイッチの操作に基づいて、施療子５１を上下移動させ、移動後の施療子５１の新たな位置について、被施療者により肩位置決定用のスイッチの操作がなされた場合に、スイッチ操作時点の施療子５１の位置を新たな肩位置に設定する制御を行うようにしているが、この他、制御部４０は、別の肩位置再設定の手法として、背もたれ部１３の上限位置まで移動させると共に前方へ突出状態とした施療子５１を、被施療者の操作によらず自動的に下方へ移動させ、この移動する施療子５１が被施療者の肩を上から押圧してさらに下へは移動しなくなった状態を識別して、この施療子位置を新たな肩位置に設定するように制御することもできる。
【００９０】
具体的には、背もたれ部１３の上限位置で前方へ突出状態（図１４（Ａ）参照）とした施療子５１に対し、制御部４０は、昇降モータ５７を作動させ、施療子５１を含むメカユニット５０全体をガイドフレーム２０に対し下に移動させ、施療子５１を背もたれ部１３の最上部から下降させる。この後、施療子５１が肩上側に近接すると、施療子５１が被施療者の肩位置で下方への移動を阻止され（図１４（Ｂ）参照）、それ以上下方へ進めないので、施療子５１の下降速度が著しく低下するのに伴い、昇降モータ５７の回転数も急減することとなる。制御部４０はこの昇降モータ５７の回転状態を監視し、昇降モータ５７の回転数が所定値まで低下した場合、制御部４０は、その時点の施療子５１の上下方向位置を取得し、この施療子位置を新たな肩位置として認定する。
【００９１】
こうした肩位置再設定の場合も、下方に移動している施療子について、被施療者が肩位置決定操作用の画面スイッチ３１ａを操作すると、制御部４０が、このスイッチ操作がなされた時点の施療子５１の位置を検出し、新たな肩位置に設定するようにしてもよい。
【００９２】
（本発明の第２の実施形態）
前記第１の実施形態に係るマッサージ機において、肩位置検出で肩位置が一旦定まった後、被施療者が操作部３０の表示部３１における施療開始指示用の画面スイッチ３１ａを操作した場合や、制御部４０で肩位置再設定の過程を経て新たな肩位置を設定した場合に、制御部４０は、被施療者の各施療対象箇所の上下方向位置を定義する他、一般的な人の体型データに基づいて人の各施療対象箇所ごとにあらかじめ設定された、施療時の施療子５１の変位に係る前後方向の各オフセット量を初期値のまま適用して、マッサージ機で施療実行可能な状態に移行するようにしているが、これに限らず、この各施療対象箇所ごとにあらかじめ設定された、施療時の施療子５１の変位に係る前後方向のオフセット量のうち、一部の施療対象箇所のオフセット量について、制御部４０は、着座位置検出時に取得した施療子５１の前方への移動量の大きさに基づき、前後方向に位置調整して、被施療者の着座状態に応じたオフセット量を新たに設定するようにすることもできる。
【００９３】
すなわち、背もたれ部１３が座部１２に対し傾動可能な一般的な椅子構造のマッサージ機において、被施療者が背もたれ部１３にもたれつつ着座した状態で、被施療者の座面近傍における体後面部分と背もたれ部１３との間に生じる隙間の大きさは、被施療者の体格や着座姿勢により変化し（図１５、図１６参照）、被施療者の体格が大きいか、着座姿勢が前寄りであるほど、座面近傍における体後面部分と背もたれ部１３との間隔が大きくなるなど、体格や着座姿勢で決る被施療者の体後面各部位の前後方向位置と前記隙間の大きさとは対応関係にあることを利用して、着座位置検出の際における施療子５１の前方への移動量を取得して、これに基づき前記オフセット量を初期値から前後方向に位置調整すれば、調整後は、被施療者の体格や着座姿勢に基づいた体後面位置に対応したオフセット量となり、この新たなオフセット量を用いた制御で、着座状態の被施療者に合った最適な施療を実行でき、より効率よく被施療者のリラックス状態が得られることとなる。
【００９４】
具体的な例としては、図１５（Ａ）に示すように、標準的な体格の被施療者の場合、一般的な人の体型データに基づいてあらかじめ設定された前記オフセット量をそのまま適用するのに対し、体格が大きく、座面近傍における体後面部分と背もたれ部１３との間に生じる隙間も大きくなる被施療者については、着座位置検出時における施療子５１の前方への移動量が、座面近傍の体後面部分と背もたれ部１３との間隔に応じて大きくなるのに基づいて、制御部４０が臀部や腰部を中心とした一部施療対象箇所における施療子５１の変位に係る前後方向のオフセット量を前側に位置調整する、すなわち、大きくする（図１５（Ｂ）参照）ことで、被施療者の体格に基づく体後面位置に対応して施療子５１を動かして施療を実行でき、確実に被施療者に合った施療が行える。
【００９５】
また、図１６（Ａ）に示すように、同じ被施療者でも、望ましい着座位置より浅く腰掛けるなどして着座姿勢が前寄りとなった場合には、着座位置検出時における施療子５１の前方への移動量が、座面近傍の体後面部分と背もたれ部１３との間隔に応じて大きくなるのに基づいて、制御部４０が臀部や腰部を中心とした一部施療対象箇所における施療子５１の変位に係る前後方向のオフセット量を前側に位置調整する、すなわち、大きくする（図１６（Ｂ）参照）ことで、被施療者の着座姿勢に基づく体後面位置に対応して施療子５１を動かして施療を実行でき、着座姿勢の影響を受けず確実に被施療者に合った施療が行える。
【００９６】
なお、上記とは逆に、被施療者の体格が小さく、座面近傍における体後面部分と背もたれ部１３との間に生じる隙間も小さくなる場合や、座部や背もたれ部の傾斜角度が大きくなるなどして、被施療者の座部や背もたれ部への密着度合いが高まって着座姿勢が後方にずれた場合には、着座位置検出時における施療子５１の前方への移動量が、座面近傍の体後面部分と背もたれ部１３との間隔に応じてより小さくなるのに基づいて、制御部４０は、一部施療対象箇所における施療子５１の変位に係る前後方向のオフセット量を後側に位置調整する、すなわち、小さくすることで、被施療者の体後面位置に適切に対応して施療子５１による施療が行える。
【００９７】
（本発明の第３の実施形態）
前記第１の実施形態に係るマッサージ機においては、位置検出に先立って座部を傾動させ、座部の傾斜角度を所定の最小角度以上とするようにしているが、この他、マッサージ機の代表的な施療形態（ポジション）、すなわち、座部１２、背もたれ部１３、及び脚支持部１５の施療時における各傾斜角度の所定の組合せ、があらかじめ複数通り用意され、施療前にこれらを被施療者の操作で選択可能とされている場合、マッサージ機の起動後、まず被施療者にポジションを選択させ、制御部が選択されたポジションをなすように各部を傾動させてから、位置検出を実行する構成とすることもできる。
【００９８】
この場合、制御部４０は、マッサージ機の代表的な施療形態（ポジション）を具体的に規定する、座部１２、背もたれ部１３、及び脚支持部１５の調整目標となる各傾斜角度の組合せを、あらかじめ複数通り記録されている。そして、制御部４０は、これら複数通りの組合せを、それらが規定する各ポジションに置換えた形で被施療者に提示し、被施療者にスイッチ操作によるポジション選択を行わせる。制御部４０は、被施療者の選択した所定の組合せにおける目標の各傾斜角度に、各部を角度調整して、マッサージ機を被施療者の望むポジションに移行させることとなる。ただし、ポジションを規定する目標の傾斜角度の組合せにおける、座部の傾斜角度は、いずれも前記最小角度としての１０ないし１５°の角度以上とされる。
【００９９】
ポジションとしては、例えば、座面の水平面に対する傾斜角度が１５°、座部１２と背もたれ部１３とのなす角度が１２１°、座部１２と脚支持部１５とのなす角度が１３５°、であり、座部１２と背もたれ部１３のなす角度を、椅子として座った時に楽な姿勢を生じさせると一般的に考えられている約１２０°とした第１ポジション（図１７（Ｂ）参照）、そこからさらに座部１２の傾斜を大きくし且つ背もたれ部１３を倒すと共に、座部１２と脚支持部１５とのなす角度も大きくした、座面の水平面に対する傾斜角度が３７°、座部１２と背もたれ部１３とのなす角度が１２１°、座部１２と脚支持部１５とのなす角度が１４３°、であり、身体への負担が少ない施療姿勢を得られ、且つ、被施療者が背もたれ部１３により密着して体のずれが生じにくい第２ポジション（図１８（Ｂ）参照）、といった複数のポジションが設定され、これらが画面スイッチ３１ａ等のスイッチで被施療者に選択可能とされる。
【０１００】
マッサージ機の起動後、複数のポジションにそれぞれ対応したスイッチのうち、被施療者の操作を受けて一つが選択されると、制御部４０は、選択されたポジションを規定する各部の目標傾斜角度の組合せを指示入力され、傾斜角度の組合せの内容に応じてアクチュエータを作動させ、座部１２、背もたれ部１３、及び／又は脚支持部１５を傾動させ、それぞれ傾斜角度を、指示入力された組合せで与えられる目標の各傾斜角度とする。すなわち、マッサージ機を起動時の初期状態（図１７（Ａ）、図１８（Ａ）参照）から被施療者の操作で選択されたポジション（図１７（Ｂ）、図１８（Ｂ）参照）に移行させる。そしてこの後、制御部４０は位置検出に係る各処理を実行する。
【０１０１】
具体例として、マッサージ機が起動直後の初期状態（図１７（Ａ）参照）にある場合に、被施療者のスイッチ操作で前記第１ポジションが選択されると、制御部４０は、必要に応じて各アクチュエータを作動させて、座部１２の角度が１５°、座部１２と背もたれ部１３とのなす角度が１２１°、座部１２と脚支持部１５とのなす角度が１３５°となるようにする（図１７（Ｂ）参照）。その後、制御部４０はマッサージ機各部が第１ポジションにあると認定して、各アクチュエータの作動を完全に停止状態とすると共に、操作部３０の表示部３１にマッサージ機が第１ポジションである旨を示す画面を表示する。そして、必要に応じて表示部３１に位置検出を実行する旨の画面を表示した後、前記第１の実施形態同様の着座位置検出と肩位置検出からなる位置検出が行われることとなる。
【０１０２】
こうして、位置検出の準備として被施療者をずれにくい安定した姿勢に移行させるための座部１２の傾動と、実際の施療に係るポジションを実現するマッサージ機各部の傾動とを、分けることなくまとめて実行することで、初期の座部傾動を実行し、位置検出を行った後、実際の施療に移行して、施療に対応した傾斜角度に座部等を本格的に傾動させる場合のように、位置検出後の傾動で被施療者の着座姿勢が位置検出時から変化して位置検出の結果を施療に適切に反映させられなくなる危険性を排除し、被施療者が施療を受ける姿勢で確実に位置検出が行え、施療に即した着座位置検出と肩位置検出を実行でき、施療時の被施療者の各施療対象箇所に対応したより正確な施療を実現できる。
【０１０３】
また、前記第２の実施形態の場合のように、被施療者の一部の施療対象箇所における、施療時の施療子５１の変位に係る前後方向のオフセット量について、着座位置検出時に取得した施療子５１の前方への移動量の大きさに基づいて初期値から調整して、新たなオフセット量を設定する際も、被施療者が施療を受ける姿勢で着座位置検出を行って、施療子の移動量を得ることで、施療時の被施療者の着座姿勢に基づく体後面位置に対応してオフセット量を設定し、これを用いて施療子５１を動かすことができ、被施療者に対応した施療をより適切に行える。
【０１０４】
この他、前記複数のポジションを生じさせる代表的な傾斜角度以外に、被施療者が任意の傾斜角度をスイッチで操作指示するのに対応し、制御部４０が、座部１２、背もたれ部１３、及び脚支持部１５の傾斜角度をそれぞれ調整可能な構成とされるのに合わせて、前記同様、マッサージ機の起動後はまず被施療者に傾斜角度をスイッチ操作で指示させ、制御部４０がマッサージ機各部を傾動させてから、位置検出を実行する構成とすることもできる。
【符号の説明】
【０１０５】
１                マッサージ機
１１              基台部
１２              座部
１３              背もたれ部
１３ａ            背もたれ部フレーム
１４              肘掛部
１５              脚支持部
２０              ガイドフレーム
３０              操作部
３１              表示部
３１ａ、３１ｂ    画面スイッチ
３１ｃ、３１ｄ    画面スイッチ
３１ｅ、３１ｆ    画面スイッチ
３２              スイッチ
３２ａ            緊急停止スイッチ
３３              スタンド
４０              制御部
５０              メカユニット
５１              施療子
５２              施療子支持アーム
５４              ベース部
５７              昇降モータ
５８              進退モータ
６０              駆動機構部
６２              揉みモータ
６４              叩きモータ
７０              エアポンプ
７１              臀部用エアセル
７２              太腿用エアセル
７３              背中用エアセル
７４              腰用エアセル
【図１】
2014155547.tif 000003
【図２】
2014155547.tif 000004
【図３】
2014155547.tif 000005
【図４】
2014155547.tif 000006
【図５】
2014155547.tif 000007
【図６】
2014155547.tif 000008
【図７】
2014155547.tif 000009
【図８】
2014155547.tif 000010
【図９】
2014155547.tif 000011
【図１０】
2014155547.tif 000012
【図１１】
2014155547.tif 000013
【図１２】
2014155547.tif 000014
【図１３】
2014155547.tif 000015
【図１４】
2014155547.tif 000016
【図１５】
2014155547.tif 000017
【図１６】
2014155547.tif 000018
【図１７】
2014155547.tif 000019
【図１８】
2014155547.tif 000020